(57)【要約】  【課題】  簡単な方法で色調の調整を行う画像形成装置を提案する。  【解決手段】  複合機１は、スキャナ機能などを有する原稿読み取り装置２と、原稿読み取り装置２に併設されるインクジェットプリンタ３と、インクジェットプリンタ３の後端部に配置され、インクジェットプリンタ３に記録用紙を供給する給紙装置４と、からなる。  インクジェットプリンタ３は、画像における日付情報を合成する領域において、主走査の一部をドットを形成しないものとし、１ラインまたは３ライン置きにドットを形成すること，および，主走査方向におけるドットの配列を１ドット置きまたは３ドット置きとして、ドットを形成する領域およびドットを形成しない領域を副走査の方向に沿って構成すること，により解像度を変更する。【選択図】図８
2009060396.tif 000002
【特許請求の範囲】
【請求項１】
ドットを被記録媒体に形成するドット形成手段と、
前記ドット形成手段および／または前記被記録媒体を相対的に移動させる制御手段と、を備え、
前記被記録媒体に画像を形成する画像形成装置であって、
前記画像における所定の領域において、前記ドットのサイズおよび／または解像度を変更することにより前記所定の領域の色調を調整する色調調整手段を備える
ことを特徴とする画像形成装置。
【請求項２】
前記所定の領域は、２色以上のドットから構成されており、
前記色調調整手段は、前記２色以上のドットのうち、少なくとも１色のドットのサイズおよび／または解像度を変更する
ことを特徴とする請求項１に記載の画像形成装置。
【請求項３】
前記制御手段は、前記ドット形成手段および／または前記被記録媒体を相対的に移動させることを、前記ドット形成手段の主走査および／または前記被記録媒体を前記主走査方向と略直交する方向に移動させる副走査で実現し、
前記色調調整手段は、前記所定の領域において前記主走査の一部を前記ドットを形成しないものとすること，または，前記所定の領域において前記ドットを形成しない領域を前記副走査の方向に沿って構成すること，のうち少なくともいずれか一方により前記解像度を変更する
ことを特徴とする請求項１または請求項２に記載の画像形成装置。
【請求項４】
前記所定の領域は、前記画像における文字が形成された領域である
ことを特徴とする請求項１から請求項３のいずれかに記載の画像形成装置。
【発明の詳細な説明】
【技術分野】
【０００１】
本発明は、被記録媒体に画像を形成する画像形成装置に関する。
【背景技術】
【０００２】
従来から、カメラなどで撮影した画像上にメッセージや日付などの文字情報を形成して印刷する技術が利用されている。このような文字情報は、文字情報が形成される画像上の領域とその周囲の領域の色が近いものであると、文字情報が識別しづらくなるという問題があった。この問題を解決するために、画像における文字の形成に適した領域を選択する技術（特許文献１参照），画像における文字情報の色を自由に設定する技術（特許文献２参照）などが提案されている。
【０００３】
また、上述した文字情報が識別しづらくなるという問題を解決するためには、実際に被記録媒体に画像を形成する際の処理においても文字情報の色調（色および濃淡）を調整可能とするとよい。被記録媒体に画像を形成する際に色調を調整するための技術として、イエロー，マゼンタ，シアンの３色の記録液を使用してインクジェット方式により画像を形成する方法であって、上記３色を被記録媒体に着弾させる順序を変更するという技術が提案されている（特許文献３参照）。
【特許文献１】特開２００２−１００６６号公報
【特許文献２】特開平９−３２２１０２号公報
【特許文献３】特開平１０−１６６７１２号公報
【発明の開示】
【発明が解決しようとする課題】
【０００４】
しかしながら、上述した着弾順序を変更する技術では、画像上において色が変化するごとに着弾順序を変更する必要があるため、画像を形成する処理が複雑になるという問題があった。
【０００５】
本発明は、上述した問題に鑑みてなされたものであり、簡単な方法で色調の調整を行う画像形成装置を提案する。
【課題を解決するための手段】
【０００６】
上述した課題を解決するためになされた請求項１にかかる画像形成装置は、ドットを被記録媒体に形成するドット形成手段と、前記ドット形成手段および／または前記被記録媒体を相対的に移動させる制御手段と、を備え、前記被記録媒体に画像を形成する画像形成装置であって、前記画像における所定の領域において、前記ドットのサイズおよび／または解像度を変更することにより前記所定の領域の色調を調整する色調調整手段を備えることを特徴とする。ここでいう「前記ドット形成手段および／または前記被記録媒体」とは、前記ドット形成手段および前記被記録媒体のうちのいずれか一方または両方を指すものである。また、ここでいう「ドットのサイズおよび／または解像度」とは、ドットのサイズおよび解像度のうちのいずれか一方または両方を指すものである。
【０００７】
このように構成された画像形成装置であれば、従来の着弾順序を変更する方法に比べて簡単に、所定の領域の色調の調整を行うことができる。その結果、画像における所定の領域とそれ以外の領域とのコントラストを容易に向上させることができる。
【０００８】
なお、上述した所定の領域は、２色以上のドットから構成されていてもよい。すなわち、請求項２の画像形成装置のように、前記所定の領域は、２色以上のドットから構成されており、前記色調調整手段は、前記２色以上のドットのうち、少なくとも１色のドットのサイズおよび／または解像度を変更するように構成されていてもよい。
【０００９】
このように構成された画像形成装置であれば、所定の領域が１色で構成されている場合と比較して、所定の領域の色調を大きく変化させることができる。
また、被記録媒体に形成される画像の解像度を変更する具体的な方法は特に限定されないが、上述した所定の領域にのみ間歇的にドットを形成することで解像度の変更を実現してもよい。そのためには、請求項３に記載の画像形成装置のように、前記制御手段が、前記ドット形成手段および／または前記被記録媒体を相対的に移動させることを、前記ドット形成手段の主走査および／または前記被記録媒体を前記主走査方向と略直交する方向に移動させる副走査で実現し、前記色調調整手段が、前記所定の領域において、前記主走査の一部を前記ドットを形成しないものとすること，または，前記所定の領域において前記ドットを形成しない領域を前記副走査の方向に沿って構成すること，のうち少なくともいずれか一方により前記解像度を変更するように構成するとよい。ここでいう「前記ドット形成手段の主走査および／または前記被記録媒体を前記主走査方向と略直交する方向に移動させる副走査」とは、上述した主走査および副走査のうちのいずれか一方または両方を指すものである。
【００１０】
このように構成された画像形成装置であれば、主走査，副走査の間隔を変化させることなく、所定の領域における解像度を変更することができ、所定の領域の色を変更する処理がより簡単なものとなる。
【００１１】
また、本発明の画像形成装置は、請求項４に記載のように、前記所定の領域を、前記画像における文字が形成された領域としてもよい。
このように構成された画像形成装置であれば、文字の色を容易に調整することができるので、所定領域以外の画像とのコントラストを向上させて、画像に合成された文字を読み易くすることができる。
【発明を実施するための最良の形態】
【００１２】
以下に、本発明の実施形態を図面と共に説明する。
【実施例１】
【００１３】
（１）全体構成
本実施形態の複合機１は、図１に示すように、スキャナ機能などを有する原稿読み取り装置２と、原稿読み取り装置２に併設されるインクジェットプリンタ３と、インクジェットプリンタ３の後端部に配置され、インクジェットプリンタ３に記録用紙を供給する給紙装置４と、からなる。インクジェットプリンタ３の前方には、印刷された記録用紙を排出する排出テーブル５が設けられている。
【００１４】
インクジェットプリンタ３の内部構造を図２に示す。インクジェットプリンタ３は、給紙装置４から供給される記録用紙にインクを吐出する動作を行う記録機構部１０と、記録機構部１０にインクを供給するインク供給部２０と、からなる。
【００１５】
記録機構部１０は、図３に示すように、後述するガイド軸１２，ガイドレール１３，およびキャリッジ１４を内部に備える一方向に長い箱状であって、記録用紙にアクセス可能な長手方向に拡がる開口を設けたフレーム１１と、フレーム１１の長手方向に沿って延びるガイド軸１２と、ガイド軸１２に沿って延び、ガイド軸１２より前方に配置されるガイドレール１３と、ガイド軸１２およびガイドレール１３により、フレーム１１の長手方向に移動可能に案内支持されるキャリッジ１４と、タイミングベルトを介してキャリッジ１４をフレーム１１の長手方向に往復運動させる駆動モータ１５と、給紙装置４から供給された記録用紙を搬送する図示しない搬送ローラを回転させる搬送モータ１６と、を備える。なお、キャリッジ１４は記録ヘッド３０を備えており、ガイド軸１２はキャリッジ１４本体を案内し、ガイドレール１３は記録ヘッド３０を案内する。
【００１６】
上述した記録ヘッド３０は、フレーム１１の開口側に面して、後述する４色のインクそれぞれに対応する４列のノズル列３１ａ〜３１ｄが設けられており、各ノズル列には多数のインクジェットノズルが設けられている。なお、ブラック用のノズル列３１ａとシアン用のノズル列３１ｂとが接近しており、マゼンタ用のノズル列３１ｃとイエロー用のノズル列３１ｄとが接近している。
【００１７】
各インクジェットノズルは、図４（ａ）の矢印に示すように、記録ヘッド３０が主走査方向（フレーム１１の長手方向）に走査されているときに、圧電素子アクチュエータにより駆動されて任意のサイズのインク液滴を噴射し、記録用紙上にドットを形成する。記録ヘッド３０は、図４（ｂ）に示すように、用紙に対し、主走査方向（矢印１、３、５）での走査と、副走査方向（矢印２、４）での走査とを交互に繰り返しながら、記録用紙上に画像を形成する。ただし、記録ヘッド３０は実際には主走査のみを行い、副走査は、記録用紙が搬送ローラにより副走査方向に搬送されることで実現される。なお、記録ヘッド３０は発熱素子駆動方式の記録ヘッドでもよい。
【００１８】
上述した搬送ローラは、給紙装置４から供給された記録用紙を上記副走査方向に搬送し、画像形成の終了後には排出テーブル５上に排出する。
また、インク供給部２０には、図２に示すように、ブラックのインクカートリッジ２１と、シアンのインクカートリッジ２２と、マゼンタのインクカートリッジ２３と、イエローのインクカートリッジ２４とが列設されている。
【００１９】
上記インクカートリッジ２１〜２４の各々において、カートリッジケース内にはその略全域に可撓性の膜材２１ａ〜２４ａが張られ、この膜材２１ａ〜２４ａによりインク収容室２１ｂ〜２４ｂと空気室２１ｃ〜２４ｃとが仕切られている。インク収容室２１ｂ〜２４ｂにはそれぞれブラックインクBI、シアンインクCI、マゼンタインクMI、イエローインクYIが収容され、空気室２１ｃ〜２４ｃには大気が流入している。
【００２０】
上記インク収容室２１ｂ〜２４ｂは、対応する専用のインク供給チューブ２５〜２８を介して記録ヘッド３０に接続されている。
記録ヘッド３０は、インクカートリッジ２１〜２４よりも所定の水頭差だけ高い位置に配設されている。インクカートリッジ２１〜２４をそれぞれ所定の装着部に装着すると、インク供給チューブ２５〜２８と接続するインク針２９の先端が膜材２１ａ〜２４ａを挿通してインク収容室２１ｂ〜２４ｂに達し、インク収容室２１ｂ〜２４ｂのインクBI,CI,MI,YI がインク供給チューブ２５〜２８を経て記録ヘッド３０に供給される。こうして、記録ヘッド３０のノズル列３１ａ〜３１ｄの各ノズルには、インク供給チューブ２５〜２８を介して供給されたインクBI,CI,MI,YI が充填される。
【００２１】
次に、インクジェットプリンタ３の電気的な構成を、図５のブロック図を用いて説明する。
インクジェットプリンタ３は、通信線を介して接続される制御装置５１，記憶装置５２，外部接続Ｉ／Ｆ５３などを備えている。
【００２２】
制御装置５１は、図示しないＣＰＵおよびＲＡＭなどから構成されており、記憶装置５２に記憶されているプログラムに基づいて、記録ヘッド３０のノズル列３１ａ〜３１ｄによるインク液滴の噴射，駆動モータ１５による記録ヘッド３０の動作，搬送モータ１６による記録用紙の搬送などを制御する。
【００２３】
外部接続Ｉ／Ｆ５３は、外部から入力されるイメージデータ（ＲＧＢデータ）およびユーザから入力された指令情報を示すユーザ入力情報を制御装置５１に送信する。入力されたイメージデータは、制御装置５１のＲＡＭまたは記憶装置５２に記憶される。
【００２４】
なお、ユーザ入力情報とは、ＰＣなどの外部装置や、複合機１に備えられたユーザ操作インターフェースなどを用いて、ユーザにより入力された情報であって、記録用紙に画像を形成させる（つまり、印刷を開始する）指令や、画像に日付情報を合成して印刷する後述する日付印刷処理を開始させる指令、日付印刷処理において文字色および文字位置を決定する指令などが該当する。
【００２５】
ユーザにより画像を形成させる指令が入力されると、制御装置５１は、ＲＡＭまたは記憶装置５２に記憶されたイメージデータに基づいて、ＣＭＹＫのデータを作成し、このＣＭＹＫデータに基づいて上述した記録ヘッド３０のノズル列３１ａ〜３１ｄ，駆動モータ１５，搬送モータ１６を動作させて記録用紙に画像を形成する。その際、ユーザから日付情報を印刷すべき指令があると、後述する日付印刷処理を実行し、記録用紙に画像を形成する。
【００２６】
なお、上述したイメージデータの具体的な入力方法は特に限定されない。例えば、複合機１の原稿読み取り装置２にて読み取ったイメージデータを外部接続Ｉ／Ｆ５３から入力してもよいし、外部接続Ｉ／Ｆ５３をＰＣ，デジタルカメラなどと接続し、それらからイメージデータを入力してもよい。また、ＳＤカード等の記憶媒体のデータを読み取る読取装置を接続し、それらの記憶媒体からイメージデータを読み取って入力してもよい。
（２）制御装置５１による処理
以下に、制御装置５１により実行される各種処理について説明する。なお、日付を印刷しない場合の印刷処理については公知であるのでここでは割愛する。
（２．１）日付印刷処理
以下に、日付印刷処理の処理手順を、図６に基づいて説明する。
【００２７】
この日付印刷処理は、ユーザにより日付印刷処理を開始する旨の指令を受けた際に開始される。
この日付印刷処理では、まず、１４色のパレットから文字色を決定する（ステップ１、以降ステップをＳと表記する）。ここでは、予め定められている１４色（Ｎｏ．１〜Ｎｏ．１４）のパレットから、ユーザが選択した色を示すユーザ入力情報に基づいて、日付情報として合成する文字色を決定する。なお、ユーザに色を選択させることなく、制御装置５１が適切な色を選択する構成としてもよい。上記１４色を形成するインクの第１の色，第２の色の組み合わせを図７に示す。図７において、Ｎｏ．１３は白色を表し、Ｎｏ．１４は黒色を表している。
【００２８】
なお、日付情報は、画像における予め定められた所定の位置（例えば画像右下）に配置されるが、ユーザの操作により変更できる構成（例えば、特開平９−３２２１０２号公報の技術を応用する）や、制御装置５１が自動で適切な位置に配置する構成（例えば、特開２００２−１００６６号公報の技術を応用する）としてもよい。
【００２９】
次に、Ｓ１にて決定された色が、Ｎｏ．２，４，６，８，１０，１２のいずれかであるか否かがチェックされ（Ｓ２）、上述したいずれかの色であれば（Ｓ２：ＹＥＳ）、後述するフロー１に処理が移行する（Ｓ３）。上述したいずれの色でもなければ（Ｓ２：ＮＯ）、Ｓ４に移行する。
【００３０】
次に、Ｓ１にて決定された色が、Ｎｏ．３，７，１１のいずれかであるか否かがチェックされ（Ｓ４）、上述したいずれかの色であれば（Ｓ４：ＹＥＳ）、後述するフロー２に処理が移行する（Ｓ５）。上述したいずれの色でもなければ（Ｓ４：ＮＯ）、Ｓ６に移行する。
【００３１】
次に、Ｓ１にて決定された色が、Ｎｏ．１，５，９のいずれかであるか否かがチェックされ（Ｓ６）、上述したいずれかの色であれば（Ｓ６：ＹＥＳ）、後述するフロー３に処理が移行する（Ｓ７）。上述したいずれの色でもなければ（Ｓ６：ＮＯ）、Ｓ８に移行する。
【００３２】
次に、Ｓ１にて決定された色が、Ｎｏ．１３であるか否かがチェックされ（Ｓ８）、Ｎｏ．１３であれば（Ｓ８：ＹＥＳ）、後述するフロー４に処理が移行する（Ｓ９）。Ｎｏ．１３でなければ（Ｓ８：ＮＯ）、つまり、Ｓ１にて決定された色がＮｏ．１４であれば、後述するフロー５に処理が移行する（Ｓ１０）。
（２．２）フロー１
以下に、フロー１の処理手順を、図８に基づいて説明する。このフロー１は、日付印刷処理のＳ３において開始される。
【００３３】
このフロー１では、まず、印刷する画像の記録解像度が６００×６００ｄｐｉであるか否かをチェックする（Ｓ２１）。
画像が上記解像度に該当する場合は（Ｓ２１：ＹＥＳ）、日付情報を画像に合成したＣＭＹＫデータを作成する（Ｓ２２）。ここでは、日付情報を合成する領域において、主走査方向に関し、第１の色は６００ｄｐｉの解像度で合成するが、第２の色は３００ｄｐｉの解像度（１ドット置き）で合成する。第２の色のドットの位置は、第１の色のドットと重なる位置とする。副走査方向に関しては、いずれも６００ｄｐｉの解像度で合成する。また、第１の色および第２の色の液滴サイズは同一とする。
【００３４】
なお、解像度を変更した際、ドットを形成する領域および形成しない領域は、それぞれ副走査方向に沿って並ぶように構成される（後述する各処理においても同様）。また、日付情報を合成する領域以外の領域については、解像度の変更を行わない（後述する各処理においても同様）。このＳ２２の後、画像の印刷を開始する（Ｓ２８）。
【００３５】
また、画像が上記解像度に該当しない場合は（Ｓ２１：ＮＯ）、印刷する画像の記録解像度が１２００×１２００ｄｐｉであるか否かをチェックする（Ｓ２３）。
画像が上記解像度に該当する場合は（Ｓ２３：ＹＥＳ）、日付情報を画像に合成したＣＭＹＫデータを作成する（Ｓ２４）。ここでは、日付情報を合成する領域において、主走査方向に関し、第１の色は６００ｄｐｉの解像度（１ドット置き）で合成し、第２の色は３００ｄｐｉの解像度（３ドット置き）で合成する。第２の色のドットの位置は、第１の色のドットと重なる位置とする。副走査方向に関しては、いずれも６００ｄｐｉの解像度（１ライン（主走査方向に並ぶドットの列）置き）で合成する。また、第１の色および第２の色の液滴サイズは同一とする。このＳ２４の後、画像の印刷を開始する（Ｓ２８）。
【００３６】
また、画像が上記解像度に該当しない場合は（Ｓ２３：ＮＯ）、印刷する画像の記録解像度が１２００×２４００ｄｐｉであるか否かをチェックする（Ｓ２５）。
画像が上記解像度に該当する場合は（Ｓ２５：ＹＥＳ）、日付情報を画像に合成したＣＭＹＫデータを作成する（Ｓ２６）。ここでは、日付情報を合成する領域において、主走査方向に関し、第１の色は６００ｄｐｉの解像度（１ドット置き）で合成し、第２の色は３００ｄｐｉの解像度（３ドット置き）で合成する。第２の色のドットの位置は、第１の色のドットと重なる位置とする。副走査方向に関しては、いずれも６００ｄｐｉの解像度（３ライン置き）で合成する。また、第１の色および第２の色の液滴サイズは同一とする。このＳ２６の後、画像の印刷を開始する（Ｓ２８）。
【００３７】
また、画像が上記解像度に該当しない場合は（Ｓ２５：ＮＯ）、印刷する画像の記録解像度と同じ解像度にて日付情報を合成したＣＭＹＫデータを作成し（Ｓ２７）、画像の印刷を開始する（Ｓ２８）。
（２．３）フロー２
以下に、フロー２の処理手順を、図９に基づいて説明する。このフロー２は、日付印刷処理のＳ５において開始される。
【００３８】
このフロー２では、まず、印刷する画像の記録解像度が６００×６００ｄｐｉであるか否かをチェックする（Ｓ４１）。
画像が上記解像度に該当する場合は（Ｓ４１：ＹＥＳ）、日付情報を画像に合成したＣＭＹＫデータを作成する（Ｓ４２）。ここでは、日付情報を合成する領域において、主走査方向に関し、第１の色，第２の色とも６００ｄｐｉの解像度で合成する。副走査方向に関しても、いずれも６００ｄｐｉの解像度で合成する。また、第１の色および第２の色の液滴サイズは同一とする。このＳ４２の後、画像の印刷を開始する（Ｓ４８）。
【００３９】
また、画像が上記解像度に該当しない場合は（Ｓ４１：ＮＯ）、印刷する画像の記録解像度が１２００×１２００ｄｐｉであるか否かをチェックする（Ｓ４３）。
画像が上記解像度に該当する場合は（Ｓ４３：ＹＥＳ）、日付情報を画像に合成したＣＭＹＫデータを作成する（Ｓ４４）。ここでは、日付情報を合成する領域において、主走査方向に関し、第１の色，第２の色とも６００ｄｐｉの解像度（１ドット置き）で合成する。このとき、第２の色のドットは、第１の色のドットと重なる位置に合成する。副走査方向に関しても、いずれも６００ｄｐｉの解像度（１ライン置き）で合成する。また、第１の色および第２の色の液滴サイズは同一とする。このＳ４４の後、画像の印刷を開始する（Ｓ４８）。
【００４０】
また、画像が上記解像度に該当しない場合は（Ｓ４３：ＮＯ）、印刷する画像の記録解像度が１２００×２４００ｄｐｉであるか否かをチェックする（Ｓ４５）。
画像が上記解像度に該当する場合は（Ｓ４５：ＹＥＳ）、日付情報を画像に合成したＣＭＹＫデータを作成する（Ｓ４６）。ここでは、日付情報を合成する領域において、主走査方向に関し、第１の色，第２の色とも６００ｄｐｉの解像度（１ドット置き）で合成する。このとき、第２の色のドットは、第１の色のドットと重なる位置に合成する。副走査方向に関しても、いずれも６００ｄｐｉの解像度（３ライン置き）で合成する。また、第１の色および第２の色の液滴サイズは同一とする。このＳ４６の後、画像の印刷を開始する（Ｓ４８）。
【００４１】
また、画像が上記解像度に該当しない場合は（Ｓ４５：ＮＯ）、印刷する画像の記録解像度と同じ解像度にて日付情報を合成したＣＭＹＫデータを作成し（Ｓ４７）、画像の印刷を開始する（Ｓ４８）。
（２．４）フロー３
以下に、フロー３の処理手順を、図１０に基づいて説明する。このフロー３は、日付印刷処理のＳ７において開始される。
【００４２】
このフロー３では、まず、印刷する画像の記録解像度が６００×６００ｄｐｉであるか否かをチェックする（Ｓ６１）。
画像が上記解像度に該当する場合は（Ｓ６１：ＹＥＳ）、日付情報を画像に合成したＣＭＹＫデータを作成する（Ｓ６２）。ここでは、日付情報を合成する領域において、第１の色のみを用い、主走査方向および副走査方向に関して６００ｄｐｉの解像度で合成する。このＳ６２の後、画像の印刷を開始する（Ｓ６８）。
【００４３】
また、画像が上記解像度に該当しない場合は（Ｓ６１：ＮＯ）、印刷する画像の記録解像度が１２００×１２００ｄｐｉであるか否かをチェックする（Ｓ６３）。
画像が上記解像度に該当する場合は（Ｓ６３：ＹＥＳ）、日付情報を画像に合成したＣＭＹＫデータを作成する（Ｓ６４）。ここでは、第１の色のみを用い、日付情報を合成する領域において、主走査方向に関して６００ｄｐｉの解像度（１ドット置き）で合成し、副走査方向に関して６００ｄｐｉの解像度（１ライン置き）で合成する。このＳ６４の後、画像の印刷を開始する（Ｓ６８）。
【００４４】
また、画像が上記解像度に該当しない場合は（Ｓ６３：ＮＯ）、印刷する画像の記録解像度が１２００×２４００ｄｐｉであるか否かをチェックする（Ｓ６５）。
画像が上記解像度に該当する場合は（Ｓ６５：ＹＥＳ）、日付情報を画像に合成したＣＭＹＫデータを作成する（Ｓ６６）。ここでは、第１の色のみを用い、日付情報を合成する領域において、主走査方向に関して６００ｄｐｉの解像度（１ドット置き）で合成し、副走査方向に関して６００ｄｐｉの解像度（３ライン置き）で合成する。このＳ６６の後、画像の印刷を開始する（Ｓ６８）。
【００４５】
また、画像が上記解像度に該当しない場合は（Ｓ６５：ＮＯ）、印刷する画像の記録解像度と同じ解像度にて日付情報を合成したＣＭＹＫデータを作成し（Ｓ６７）、画像の印刷を開始する（Ｓ６８）。
（２．５）フロー４
以下に、フロー４の処理手順を、図１１に基づいて説明する。このフロー４は、日付印刷処理のＳ９において開始される。
【００４６】
このフロー４では、まず、日付情報を合成する位置を白抜き（２値データを削除）したＣＭＹＫデータを作成する（Ｓ８１）。次に、画像の印刷を開始する（Ｓ８２）。
（２．６）フロー５
以下に、フロー５の処理手順を、図１２に基づいて説明する。このフロー５は、日付印刷処理のＳ１０において開始される。
【００４７】
このフロー５では、まず、黒色の日付情報を合成したＣＭＹＫデータを作成する（Ｓ１０１）。黒が顔料であって、光沢紙もしくは乾き難い記録用紙に対して印刷する旨の指令を入力されたときは、シアン，マゼンタ，イエローで黒色を生成する。それ以外の場合には黒インクを使用して日付文字の合成を行う。
【００４８】
次に、画像の印刷を開始する（Ｓ１０２）。
（３）効果
上述した実施例１の複合機１によると、日付情報を合成する領域の色調を、その領域の解像度を変更することにより調整できる。例えば、Ｎｏ．３の色とＮｏ．４の色とでは、第１の色と第２の色の組み合わせが同じであるが、解像度を変更することで色調を調整している。よって、上述した複合機１では、インクの吐出順序，インク液滴サイズなどを制御して色調を調整する構成と比較して、簡単な制御にて色を変更することができる。
【００４９】
また、本実施例では、日付情報を合成する領域において、主走査の一部をドットを形成しないものとし、１ラインまたは３ライン置きにドットを形成すること，および，主走査方向におけるドットの配列を１ドット置きまたは３ドット置きとして、ドットを形成する領域およびドットを形成しない領域を副走査の方向に沿って構成すること，により解像度を変更しているので、記録ヘッド３０の主走査，副走査の間隔を変化させることなく、日付情報を合成する領域における解像度を変更することができる。よって、日付情報を合成する領域の解像度に合わせて主走査，副走査の間隔を変化させる必要がないので、解像度を変更する処理が容易なものとなる。
【実施例２】
【００５０】
実施例２における複合機１は、基本的に実施例１と同様の構成であるが、制御装置５１の処理のうち、フロー１，フロー２，フロー３がそれぞれフロー１Ａ，フロー２Ａ，フロー３Ａに変更される。以下に、変更された処理を説明する。
（１．１）フロー１Ａ
以下に、フロー１Ａの処理手順を、図１３に基づいて説明する。このフロー１Ａは、日付印刷処理のＳ３において開始される。
【００５１】
このフロー１Ａでは、まず、印刷する画像の記録解像度が６００×６００ｄｐｉであるか否かをチェックする（Ｓ１２１）。
画像が上記解像度に該当する場合は（Ｓ１２１：ＹＥＳ）、日付情報を画像に合成したＣＭＹＫデータを作成する（Ｓ１２２）。ここでは、日付情報を合成する領域において、主走査方向に関し、第１の色は中液滴サイズを用いて６００ｄｐｉの解像度で合成するが、第２の色は小液滴サイズを用いて６００ｄｐｉの解像度で合成する。副走査方向に関しては、いずれも６００ｄｐｉの解像度で合成する。このＳ１２２の後、画像の印刷を開始する（Ｓ１２８）。
【００５２】
また、画像が上記解像度に該当しない場合は（Ｓ１２１：ＮＯ）、印刷する画像の記録解像度が１２００×１２００ｄｐｉであるか否かをチェックする（Ｓ１２３）。
画像が上記解像度に該当する場合は（Ｓ１２３：ＹＥＳ）、日付情報を画像に合成したＣＭＹＫデータを作成する（Ｓ１２４）。ここでは、日付情報を合成する領域において、主走査方向に関し、第１の色は中液滴サイズを用いて６００ｄｐｉの解像度（１ドット置き）で合成し、第２の色は小液滴サイズを用いて６００ｄｐｉの解像度（１ドット置き）で合成する。第２の色のドットの位置は、第１の色のドットと重なる位置とする。副走査方向に関しては、いずれも６００ｄｐｉの解像度（１ライン置き）で合成する。このＳ１２４の後、画像の印刷を開始する（Ｓ１２８）。
【００５３】
また、画像が上記解像度に該当しない場合は（Ｓ１２３：ＮＯ）、印刷する画像の記録解像度が１２００×２４００ｄｐｉであるか否かをチェックする（Ｓ１２５）。
画像が上記解像度に該当する場合は（Ｓ１２５：ＹＥＳ）、日付情報を画像に合成したＣＭＹＫデータを作成する（Ｓ１２６）。ここでは、日付情報を合成する領域において、主走査方向に関し、第１の色は中液滴サイズを用いて６００ｄｐｉの解像度（１ドット置き）で合成し、第２の色は小液滴サイズを用いて６００ｄｐｉの解像度（１ドット置き）で合成する。第２の色のドットの位置は、第１の色のドットと重なる位置とする。副走査方向に関しては、いずれも６００ｄｐｉの解像度（３ライン置き）で合成する。このＳ１２６の後、画像の印刷を開始する（Ｓ１２８）。
【００５４】
また、画像が上記解像度に該当しない場合は（Ｓ１２５：ＮＯ）、印刷する画像の記録解像度と同じ解像度にて日付情報を合成したＣＭＹＫデータを作成し（Ｓ１２７）、画像の印刷を開始する（Ｓ１２８）。
（１．２）フロー２Ａ
以下に、フロー２Ａの処理手順を、図１４に基づいて説明する。このフロー２Ａは、日付印刷処理のＳ５において開始される。
【００５５】
このフロー２Ａでは、まず、印刷する画像の記録解像度が６００×６００ｄｐｉであるか否かをチェックする（Ｓ１４１）。
画像が上記解像度に該当する場合は（Ｓ１４１：ＹＥＳ）、日付情報を画像に合成したＣＭＹＫデータを作成する（Ｓ１４２）。ここでは、日付情報を合成する領域において、主走査方向に関し、第１の色，第２の色とも小液滴サイズを用いて６００ｄｐｉの解像度で合成する。副走査方向に関しても、いずれも６００ｄｐｉの解像度で合成する。このＳ１４２の後、画像の印刷を開始する（Ｓ１４８）。
【００５６】
また、画像が上記解像度に該当しない場合は（Ｓ１４１：ＮＯ）、印刷する画像の記録解像度が１２００×１２００ｄｐｉであるか否かをチェックする（Ｓ１４３）。
画像が上記解像度に該当する場合は（Ｓ１４３：ＹＥＳ）、日付情報を画像に合成したＣＭＹＫデータを作成する（Ｓ１４４）。ここでは、日付情報を合成する領域において、主走査方向に関し、第１の色，第２の色とも小液滴サイズを用いて６００ｄｐｉの解像度（１ドット置き）で合成する。このとき、第２の色のドットは、第１の色のドットと重なる位置に合成する。副走査方向に関しても、いずれも６００ｄｐｉの解像度（１ライン置き）で合成する。このＳ１４４の後、画像の印刷を開始する（Ｓ１４８）。
【００５７】
また、画像が上記解像度に該当しない場合は（Ｓ１４３：ＮＯ）、印刷する画像の記録解像度が１２００×２４００ｄｐｉであるか否かをチェックする（Ｓ１４５）。
画像が上記解像度に該当する場合は（Ｓ１４５：ＹＥＳ）、日付情報を画像に合成したＣＭＹＫデータを作成する（Ｓ１４６）。ここでは、日付情報を合成する領域において、主走査方向に関し、第１の色，第２の色とも小液滴サイズを用いて６００ｄｐｉの解像度（１ドット置き）で合成する。このとき、第２の色のドットは、第１の色のドットと重なる位置に合成する。副走査方向に関しても、いずれも６００ｄｐｉの解像度（３ライン置き）で合成する。このＳ１４６の後、画像の印刷を開始する（Ｓ１４８）。
【００５８】
また、画像が上記解像度に該当しない場合は（Ｓ１４５：ＮＯ）、印刷する画像の記録解像度と同じ解像度にて日付情報を合成したＣＭＹＫデータを作成し（Ｓ１４７）、画像の印刷を開始する（Ｓ１４８）。
（１．３）フロー３Ａ
以下に、フロー３Ａの処理手順を、図１５に基づいて説明する。このフロー３Ａは、日付印刷処理のＳ７において開始される。
【００５９】
このフロー３Ａでは、まず、印刷する画像の記録解像度が６００×６００ｄｐｉであるか否かをチェックする（Ｓ１６１）。
画像が上記解像度に該当する場合は（Ｓ１６１：ＹＥＳ）、日付情報を画像に合成したＣＭＹＫデータを作成する（Ｓ１６２）。ここでは、日付情報を合成する領域において、第１の色のみを用い、主走査方向および副走査方向に関して小液滴サイズを用いて６００ｄｐｉの解像度で合成する。このＳ１６２の後、画像の印刷を開始する（Ｓ１６８）。
【００６０】
また、画像が上記解像度に該当しない場合は（Ｓ１６１：ＮＯ）、印刷する画像の記録解像度が１２００×１２００ｄｐｉであるか否かをチェックする（Ｓ１６３）。
画像が上記解像度に該当する場合は（Ｓ１６３：ＹＥＳ）、日付情報を画像に合成したＣＭＹＫデータを作成する（Ｓ１６４）。ここでは、第１の色のみを用い、日付情報を合成する領域において、主走査方向に関して小液滴サイズを用いて６００ｄｐｉの解像度（１ドット置き）で合成し、副走査方向に関して６００ｄｐｉの解像度（１ライン置き）で合成する。このＳ１６４の後、画像の印刷を開始する（Ｓ１６８）。
【００６１】
また、画像が上記解像度に該当しない場合は（Ｓ１６３：ＮＯ）、印刷する画像の記録解像度が１２００×２４００ｄｐｉであるか否かをチェックする（Ｓ１６５）。
画像が上記解像度に該当する場合は（Ｓ１６５：ＹＥＳ）、日付情報を画像に合成したＣＭＹＫデータを作成する（Ｓ１６６）。ここでは、第１の色のみを用い、日付情報を合成する領域において、主走査方向に関して小液滴サイズを用いて６００ｄｐｉの解像度（１ドット置き）で合成し、副走査方向に関して６００ｄｐｉの解像度（３ライン置き）で合成する。このＳ１６６の後、画像の印刷を開始する（Ｓ１６８）。
【００６２】
また、画像が上記解像度に該当しない場合は（Ｓ１６５：ＮＯ）、印刷する画像の記録解像度と同じ解像度にて日付情報を合成したＣＭＹＫデータを作成し（Ｓ１６７）、画像の印刷を開始する（Ｓ１６８）。
（２）効果
上述した実施例２の複合機１によると、実施例１の複合機１と同様の効果を得ることができる。また、液滴サイズを調整してドットを形成することができるので、実施例１の複合機１と比べてより色調を細やかに調整できる。
［変形例］
以上、本発明の実施の形態について説明したが、本発明は、上記実施形態に何ら限定されることはなく、本発明の技術的範囲に属する限り種々の形態をとり得ることは言うまでもない。
【００６３】
例えば、上記実施形態では、色調が選択された日付情報を画像に合成する構成を例示したが、合成される情報は日付に限定されない。例えば、ユーザの指令に基づいたコメントなどを合成してもよい。
【００６４】
また、上記実施形態では、画像の記録解像度が、６００×６００ｄｐｉ，１２００×１２００ｄｐｉ，１２００×２４００ｄｐｉ，の３種類の場合において、日付情報を合成する領域の解像度を調整する構成を例示したが、当然それ以外の記録解像度であっても同様に解像度を変更できる。
【００６５】
また、上記実施形態では、日付情報を合成する領域の解像度を変更した際、ドットを形成する領域および形成しない領域は、それぞれ副走査方向に沿うように形成される構成を例示した。しかし、日付情報を合成する領域の解像度を変更できれば、上述したドットを形成する領域および形成しない領域それぞれは、副走査方向に沿って形成される構成に限定されない。例えば、副走査方向に関しては１ライン置きにドットが形成される一方、主走査方向に関しては、１ドット置きにドットを形成するラインと３ドット置きにドットを形成するラインとが交互に形成される構成であってもよい。
【００６６】
また、上記実施形態では、入力されたイメージデータに基づいてＣＭＹＫデータを作成する構成を例示したが、入力されるデータはＣＭＹＫデータであってもよい。
また、上記実施形態では、複合機１に備えられたインクジェットプリンタ３が画像を形成する構成を例示したが、インクジェットプリンタ３単体で上述した機能を有する構成であってもよい。
【００６７】
また、上記実施形態では、画像形成装置として、インクジェットプリンタ３を用いる構成を例示したが、レーザープリンタやラインプリンタのように、記録ヘッド３０が主走査を行うことなく、記録用紙を搬送する構成のプリンタであってもよい。
【図面の簡単な説明】
【００６８】
【図１】本実施形態の複合機を示す斜視図
【図２】インクジェットプリンタの構成を示す図
【図３】記録機構部の構成を示す図
【図４】記録ヘッドの動作を説明する図
【図５】インクジェットプリンタの電気的な構成を示すブロック図
【図６】日付印刷処理の処理手順を示すフローチャート
【図７】カラーパレットにおけるの第１の色と第２の色の組み合わせを示す図
【図８】フロー１の処理手順を示すフローチャート
【図９】フロー２の処理手順を示すフローチャート
【図１０】フロー３の処理手順を示すフローチャート
【図１１】フロー４の処理手順を示すフローチャート
【図１２】フロー５の処理手順を示すフローチャート
【図１３】フロー１Ａの処理手順を示すフローチャート
【図１４】フロー２Ａの処理手順を示すフローチャート
【図１５】フロー３Ａの処理手順を示すフローチャート
【符号の説明】
【００６９】
１…複合機、２…原稿読み取り装置、３…インクジェットプリンタ、４…給紙装置、５…排出テーブル、１０…記録機構部、１１…フレーム、１２…ガイド軸、１３…ガイドレール、１４…キャリッジ、１５…駆動モータ、１６…搬送モータ、２０…インク供給部、２１，２２，２３，２４…インクカートリッジ、２１ａ，２２ａ，２３ａ，２４ａ…膜材、２１ｂ，２２ｂ，２３ｂ，２４ｂ…インク収容室、２１ｃ，２２ｃ，２３ｃ，２４ｃ…空気室、２５，２６，２７，２８…インク供給チューブ、２９…インク針、３０…記録ヘッド、３１ａ，３１ｂ，３１ｃ，３１ｄ…ノズル列、５１…制御装置、５２…記憶装置、５３…外部接続Ｉ／Ｆ
【図１】
2009060396.tif 000003
【図２】
2009060396.tif 000004
【図３】
2009060396.tif 000005
【図４】
2009060396.tif 000006
【図５】
2009060396.tif 000007
【図６】
2009060396.tif 000008
【図８】
2009060396.tif 000009
【図９】
2009060396.tif 000010
【図１０】
2009060396.tif 000011
【図１１】
2009060396.tif 000012
【図１２】
2009060396.tif 000013
【図１３】
2009060396.tif 000014
【図１４】
2009060396.tif 000015
【図１５】
2009060396.tif 000016
【図７】
2009060396.tif 000017